(57)【特許請求の範囲】
【請求項１】
押圧操作される操作部と、この操作部の下方に設けられた導電ゴムスイッチと、前記操作部の押圧操作によって前記導電ゴムスイッチに設けられた接点部が接触する接点パターンを有する基板と、前記操作部を押圧操作方向とは逆の方向に向けて弾発付勢する弾性体とを具備したプッシュスイッチにおいて、
前記操作部は平面視略円形の部材であって、その下面の周縁部に略リング状の溝部が同心状に設けられており、
前記導電ゴムスイッチは、前記基板の接点パターンの回りに配置されるリング状のベース部と、前記ベース部と同心状に配置されており且つ下面に接点部が設けられた当該ベース部の内径よりも外径が小さい円柱状の被押下部と、前記ベース部の内周縁部と前記被押下部の外周縁部との間に設けられ、当該被押下部を前記ベース部より上方位置で中空支持する変形部と、前記操作部のガイドであり且つ前記ベース部の変形部の回りに立設されたリング状の壁部とを有し、
前記弾性体は前記操作部の溝部の天井面と前記基板との間に前記導電ゴムスイッチのベース部を挟んで配置されたつる巻きバネであり、
前記壁部が前記操作部の溝部に前記弾性体と共に嵌まり込むことを特徴とするプッシュスイッチ。
【請求項２】
請求項１記載のプッシュスイッチにおいて、前記基板上に前記操作部及び導電ゴムスイッチを覆うように設置されたケーシングを備えており、このケーシングは、前記操作部の押下面が露出する略円形の開口と、この開口の内壁面に上下方向に向けて設けられたガイド溝とを有し、
前記操作部の外面の下端部には、前記ガイド溝に嵌まり込むガイド部が凸設されていることを特徴とするプッシュスイッチ。
【発明の詳細な説明】
【０００１】
【発明の属する技術分野】
本発明は、電子機器、例えば家庭用ゲーム機やビデオデッキ等のコントローラに使用されるプッシュスイッチに関する。
【０００２】
【従来の技術】
例えば、家庭用ゲーム機のプッシュスイッチには、実開平４−１２６６３０号公報記載、実開平６−２８９５５号公報記載のものがある。
前者のプッシュスイッチは、接点パターンが形成された基板と、この基板上に載置された前記接点パターンに対応した接点部を有する導電ゴムスイッチと、この導電ゴムスイッチを押圧して前記接点部を接点パターンに接触させ接点パターンを電気的に閉成する押釦とからなり、この押釦の押圧操作に抗して前記接点部を接点パターンから離間させる弾性を有する脚部を前記導電ゴムスイッチに設けた押釦スイッチの構造において、前記押釦の底面に柱状のボスを突出形成するとともに、前記導電ゴムスイッチにこのボスを圧入する筒部を形成したことを特徴としている。
【０００３】
また、後者のプッシュスイッチは、押下操作でスイッチング操作するスイッチ接点が内蔵されたケーシングと、前記スイッチ接点にその一端が連結され、かつ他端が前記ケーシングから突出するように棒状体に形成れた操作軸と、この操作軸の他端に、取付け位置が換え得るように嵌合され、前記ケーシングに対向配設されたキートップと、このキートップの押下方向と対向し、前記ケーシングの一体に形成された第１の凸部と、この第１の凸部に対向配設され、前記キートップの押下に応じて前記第１の凸部に当接し、前記スイッチ接点の動作を規制する第２の凸部と、この第２の凸部を前記キートップの押下に応じて前記第１の凸部との当接を解除するよう前記キートップの前記操作軸への取付け位置を変化させる手段とを具備したことを特徴としている。
【０００４】
【発明が解決しようとする課題】
しかしながら、上述したプッシュスイッチには以下のような問題点がある。
まず、前者のプッシュスイッチは、斜め下方向に導電ゴムスイッチが押圧操作された場合、導電ゴムスイッチが斜めになってしまい、その結果、接点部と接点パターンとが接触しないことがある。また、このプッシュスイッチでは、押圧操作時の押し下げの感触が導電ゴムスイッチの変形にのみ司られるため、操作感がはっきりとしないという問題点もある。
【０００５】
また、後者のプッシュスイッチも、ケーシングが斜め下方向に押圧操作されると、第１の凸部と第２の凸部とが正確に接触せず、スイッチ接点の確実な接触が行われない可能性がある。
【０００６】
本発明は上記事情に鑑みて創案されたものであって、接点部と接点パターンとの確実な接触を確保することができるとともに、操作感がはっきりとしたプッシュスイッチを提供することを目的としている。
【０００７】
【課題を解決するための手段】
本発明に係るプッシュスイッチは、押圧操作される操作部と、この操作部の下方に設けられた導電ゴムスイッチと、前記操作部の押圧操作によって前記導電ゴムスイッチに設けられた接点部が接触する接点パターンを有する基板と、前記操作部を押圧操作方向とは逆の方向に向けて弾発付勢する弾性体とを具備したプッシュスイッチにおいて、前記操作部は平面視略円形の部材であって、その下面の周縁部に略リング状の溝部が同心状に設けられており、前記導電ゴムスイッチは、前記基板の接点パターンの回りに配置されるリング状のベース部と、前記ベース部と同心状に配置されており且つ下面に接点部が設けられた当該ベース部の内径よりも外径が小さい円柱状の被押下部と、前記ベース部の内周縁部と前記被押下部の外周縁部との間に設けられ、当該被押下部を前記ベース部より上方位置で中空支持する変形部と、前記操作部のガイドであり且つ前記ベース部の変形部の回りに立設されたリング状の壁部とを有し、前記弾性体は前記操作部の溝部の天井面と前記基板との間に前記導電ゴムスイッチのベース部を挟んで配置されたつる巻きバネであり、前記壁部が前記操作部の溝部に前記弾性体と共に嵌まり込む。
【０００８】
【発明の実施の形態】
図１は本発明の実施の形態に係るプッシュスイッチの押圧前の概略的断面図、図２は本発明の実施の形態に係るプッシュスイッチの押圧時の概略的断面図、図３は本発明の実施の形態に係るプッシュスイッチに用いられる操作部の図面であって、同図（Ａ）は概略的底面図、同図（Ｂ）は概略的断面図、図４は本発明の実施の形態に係るプッシュスイッチに用いられる導電ゴムスイッチの図面であって、同図（Ａ）は概略的平面図、同図（Ｂ）は概略的断面図である。
【０００９】
本発明の実施の形態に係るプッシュスイッチは、押圧操作される操作部１００と、この操作部１００の下方に設けられた導電ゴムスイッチ２００と、前記操作部１００の押圧操作によって前記導電ゴムスイッチ２００に設けられた接点部２５０が接触する接点パターン３１０を有する基板３００と、前記操作部１００と導電ゴムスイッチ２００との間に設けられ、操作部１００を押圧操作とは逆の方向に弾発付勢する弾性体４００とを備えており、前記導電ゴムスイッチ２００には、操作部１００が押圧操作されない状態でも、操作部１００の下面に設けられた溝部１５０に嵌まり込んだ壁部２２０が設けられている。
【００１０】
前記操作部１００は、図３に示すように、平面視概略円形であって、表面側が指で押圧される押圧面１１０となっている。この押圧面１１０は、略ドーム状に外側に凸に形成されている。
【００１１】
かかる操作部１００の縁部からは、リング状の外側垂下壁１２０が垂設されている。この外側垂下壁１２０は、後述するケーシング５００において操作部１００の押圧動作をガイドする部分なので、外側に向かったガイド部１２１が突出形成されている。そして、この操作部１００の裏面の中央には、円の中に十字のリブ１３１が形成された中央垂下部１３０が形成されている。この中央垂下部１３０は、後述する導電ゴムスイッチ２００の被押下部２３０を押圧する部分である。
【００１２】
また、前記操作部１００の裏面側には、前記中央垂下部１３０を取り囲むように略１／２円弧状の一対の内側垂下壁１４０が形成されている。この内側垂下壁１４０と、前記外側垂下壁１２０との間が、操作部１００の下面に設けられた溝部１５０となるのである。
【００１３】
一方、前記導電ゴムスイッチ２００は、図４に示すように、リング状のベース部２１０から平面視略リング状の壁部２２０が上方向に向かって突設されている。この壁部２２０の高さ寸法は、プッシュスイッチとして組み立てられた場合、操作部１００を押圧操作していない状態でも、先端が前記溝部１５０に嵌まり込むだけの高さ寸法に設定されている。
【００１４】
また、この導電ゴムスイッチ２００の中央部には、薄肉の変形部２４０を介して被押下部２３０が設けられている。この被押下部２３０こそが、前記操作部１００の押圧操作によって押し下げられる部分である。この操作部１００の押圧操作によって変形部２４０が変形して被押下部２３０が押し下げられるのである。
【００１５】
そして、前記被押下部２３０の裏面側には、導電性を有する接点部２５０が設けられている。
【００１６】
前記基板３００は、接点パターン３１０が形成さている。この接点パターン３１０は、前記接点部２５０が接触することによって導通する離れた一対の導電膜によって形成されている。
【００１７】
前記弾性体４００は、いわゆるつる巻きバネであって、プッシュスイッチとして組み立てられると、縮んだ状態となるものである。また、この弾性体４００は、外径が前記導電ゴムスイッチ２００の壁部２２０の内径より若干小さく、内径が前記操作部１００の内側垂下壁１４０の外径より若干大きく設定されている。
【００１８】
一方、前記ケーシング５００は、操作部１００の押圧面１１０が突出する開口５１０が形成されている。この開口５１０の内側には、前記ガイド部１２１がが嵌まり込むガイド溝５２０が形成されている。なお、このガイド溝５２０には、操作部１００の抜け防止のためのオーバーハング部５２１が形成されている。
【００１９】
これらのような部品から構成は次のように組み合わせられてプッシュスイッチとなる。
まず、導電ゴムスイッチ２００を、接点部２５０が接点パターン３１０の真上に位置するように基板３００の上にセットする。
【００２０】
次に、弾性体４００を導電ゴムスイッチ２００のベース部２１０の上にセットする。すると、弾性体４００の外径は、導電ゴムスイッチ２００の壁部２２０の内径より若干小さく設定されているため、弾性体４００は壁部２２０の内側にセットされることになる。
【００２１】
次に、操作部１００を弾性体４００の上にセットする。すると、弾性体４００の内径は、前記操作部１００の内側垂下壁１４０の外径より若干大きく設定されているので、弾性体４００は内側垂下壁１４０の外側、すなわち溝部１５０に入り込む。また、導電ゴムスイッチ２００の壁部２１０の先端も前記溝部１５０に嵌まり込むのである。
【００２２】
この状態でケーシング５００を被せると、操作部１００のガイド部１２１は、ケーシング５００のガイド溝５２０に嵌まり込む。このため、操作部１００は、前記ガイド部１２１と前記ガイド溝５２０とによって、上下方向、すなわち押圧方向にのみ移動可能となる。
【００２３】
操作部１００を弾性体４００の弾性力に抗して押圧操作すると、図２に示すように、中央垂下部１３０が導電ゴムスイッチ２００の被押圧部２３０を押し下げ、接点部２５０が接点パターン３１０に接触し、接点パターン３１０を導通させる。
【００２４】
操作部１００の押圧を解除すると、弾性体４００と導電ゴムスイッチ２００の変形部２４０との弾性力によって、操作部１００は元の位置に復帰し、接点パターン３１０の導通を解除する。なお、操作部１００の復帰に作用する力は、大部分が弾性体４００の弾性力であって、変形部２４０の弾性力は極めて少ない。変形部２４０の弾性力は、自身が元の形状に復帰するために作用する。
【００２５】
操作部１００を斜め下方向に押圧操作したとしても、導電ゴムスイッチ２００の壁部２１０が操作部１００の溝部１５０に嵌まり込んでいるため、操作部１００は確実に下方向に押し下げられるので、接点部２５０と接点パターン３１０との確実な接触が確保できる。
【００２６】
【発明の効果】
本発明に係るプッシュスイッチは、押圧操作される操作部と、この操作部の下方に設けられた導電ゴムスイッチと、前記操作部の押圧操作によって前記導電ゴムスイッチに設けられた接点部が接触する接点パターンを有する基板と、前記操作部を押圧操作方向とは逆の方向に向けて弾発付勢する弾性体とを具備したプッシュスイッチにおいて、前記操作部は平面視略円形の部材であって、その下面の周縁部に略リング状の溝部が同心状に設けられており、前記導電ゴムスイッチは、前記基板の接点パターンの回りに配置されるリング状のベース部と、前記ベース部と同心状に配置されており且つ下面に接点部が設けられた当該ベース部の内径よりも外径が小さい円柱状の被押下部と、前記ベース部の内周縁部と前記被押下部の外周縁部との間に設けられ、当該被押下部を前記ベース部より上方位置で中空支持する変形部と、前記操作部のガイドであり且つ前記ベース部の変形部の回りに立設されたリング状の壁部とを有し、前記弾性体は前記操作部の溝部の天井面と前記基板との間に前記導電ゴムスイッチのベース部を挟んで配置されたつる巻きバネであり、前記壁部が前記操作部の溝部に前記弾性体と共に嵌まり込む。
【００２７】
従って、このプッシュスイッチであれば、操作部が斜め下方向に押圧操作された場合であっても、導電ゴムスイッチの壁部が操作部の溝部に嵌まり込むため、操作部１００を確実に下方向に押し下げることができ、その結果、接点部と接点パターンとの確実な接触を確保することができる。また、操作部の操作感は、弾性体によって大部分が司られるため、確実な操作感となる。さらに、弾性体を押し下げる感触と、導電ゴムスイッチの変形部を変形させる感触との２段階の感触があるため、使用者にとってはよりハッキリとした操作感を得ることができる。
【００２８】
また、前記弾性体が前記溝部に嵌まり込んでいるので、操作部を斜め下方向に押圧操作しても、より確実に接点部と接点パターンとの確実な接触が確保できる。このように前記壁部及び弾性体が前記操作部の溝部に挿入されるようになっているので、当該壁部及び弾性体の設置スペースを小さくすることができ、その結果、操作部の外径を小さくすることが可能になる。即ち、小型化を図ることができる。しかも、前記弾性体が、前記導電ゴムスイッチのベース部を挟んで基板の面上に載置されているので、押圧操作により前記基板に掛かる前記弾性体の負荷を当該ベース部で吸収することが可能になります。従って、前記弾性体により前記基板が傷つくのを防止することが可能になります。
【図面の簡単な説明】
【図１】本発明の実施の形態に係るプッシュスイッチの押圧前の概略的断面図である。
【図２】本発明の実施の形態に係るプッシュスイッチの押圧時の概略的断面図である。
【図３】本発明の実施の形態に係るプッシュスイッチに用いられる操作部の図面であって、同図（Ａ）は概略的底面図、同図（Ｂ）は概略的断面図である。
【図４】本発明の実施の形態に係るプッシュスイッチに用いられる導電ゴムスイッチの図面であって、同図（Ａ）は概略的平面図、同図（Ｂ）は概略的断面図である。
【符号の説明】
１００    操作部
１１０    押圧面
１５０    溝部
２００    導電ゴムスイッチ
２２０    壁部
２５０    接点部
３００    基板
３１０    接点パターン
４００    弾性体
【図１】
0003810622.tif 000002
【図２】
0003810622.tif 000003
【図３】
0003810622.tif 000004
【図４】
0003810622.tif 000005